(57)【要約】【課題】ガスケット部材の劣化による変形を確実に抑制して、防塵機能を維持すると共に、内部の部品に対する干渉を回避させる。【解決手段】経年変化によってガスケット部材３３が扁平化し幅方向に伸びて、ガスケット部材３の幅の増加に伴って内壁面３３ａが開口１４の中央部側へ変位してきた場合には、制止リブ４２ａの外壁面が内壁面３３ａを押えることによって制止する。これによって、ガスケット部材３３の劣化による変形を確実に抑制して、防塵機能を維持すると共に、液晶表示パネル４１等内部の部品に対する干渉を回避させる。【選択図】図１
2006186691.tif 000002
【特許請求の範囲】
【請求項１】
開口が形成された電子機器の筐体に、前記開口の縁部に配置されたガスケット部材を介して、前記開口を覆うように蓋状部材が取り付けられ、前記蓋状部材の筐体内部に向いた裏面側に配置され、前記ガスケット部材の側壁面の少なくとも一部に対向する対向面を有し、前記側壁面が変位した場合に、前記側壁面の少なくとも一部に前記対向面が接触して、前記ガスケット部材を押えるガスケット押え手段を備えたことを特徴とする電子機器における防塵構造。
【請求項２】
前記ガスケット押え手段は、前記ガスケット部材の経年変化による厚さの減少又は／及び幅の増加を伴う変形を抑制することを特徴とする請求項１記載の電子機器における防塵構造。
【請求項３】
前記ガスケット部材は、前記蓋状部材を支持する略扁平な枠状部材からなり、その内壁面が前記開口に臨むように配置され、前記ガスケット押え手段は、前記ガスケット部材の幅の増加に伴う前記内壁面の前記開口の中央部側への変位を前記内壁面を押えることによって制止する制止部を有してなることを特徴とする請求項１又は２記載の電子機器における防塵構造。
【請求項４】
前記電子機器は、所定の機能を有する機能ユニットを備え、前記開口の前記蓋状部材が配設された側に対向する側には、前記機能ユニットを保持する保持基体が配設され、前記制止部は、前記保持基体の前記開口側に突設され、前記内壁面に対向する外壁面を有していることを特徴とする請求項３記載の電子機器における防塵構造。
【請求項５】
前記制止部は、前記開口の前記蓋状部材側の縁部に突設され、前記内壁面に対向する外壁面を有していることを特徴とする請求項３記載の電子機器における防塵構造。
【請求項６】
前記電子機器は、アクチュエータによって振動板を振動させて音波を放射させるフラットパネルスピーカを備え、前記蓋状部材は、前記振動板を兼ね、前記ガスケット部材は、前記蓋状部材に接着された状態で、前記蓋状部材の振動に従って、少なくとも厚さ方向に沿って変形しながら前記蓋状部材を支持することを特徴とする請求項１乃至５のいずれか１に記載の電子機器における防塵構造。
【請求項７】
前記アクチュエータは圧電素子を有してなり、前記蓋状部材の所定の部位に接触していることを特徴とする請求項６記載の電子機器における防塵構造。
【請求項８】
前記機能ユニットは、文字情報又は画像情報を表示するための表示ユニットからなり、前記蓋状部材は、透明部材からなり、前記表示ユニットの表示画面を保護するために用いられることを特徴とする請求項４乃至７のいずれか１に記載の電子機器における防塵構造。
【請求項９】
前記外壁面は、前記内壁面の周回方向に沿って連続的に又は断続的に形成されていることを特徴とする請求項４乃至８のいずれか１に記載の電子機器における防塵構造。
【請求項１０】
前記ガスケット部材は、前記開口から前記筐体の中に、少なくとも塵埃を含む異物が入るのを防止するために用いられることを特徴とする請求項１乃至９のいずれか１に記載の電子機器における防塵構造。
【請求項１１】
請求項１乃至１０のいずれか１に記載の電子機器における防塵構造を備えたことを特徴とする電子機器。
【請求項１２】
開口が形成された筐体に、ガスケット部材を介して、前記開口を覆うように蓋状部材が取り付けられた電子機器における防塵方法であって、
前記蓋状部材の筐体内部に向いた裏面側に、前記ガスケット部材の側壁面の少なくとも一部に対向する対向面を有し、前記ガスケット部材を押えるガスケット押え手段が配置され、
前記ガスケット押え手段は、前記側壁面が変位した場合に、前記側壁面の少なくとも一部に前記対向面が接触して、前記ガスケット部材を押えることによって、前記ガスケット部材の寸法及び形状の変化を伴う変形を抑制することを特徴とする電子機器における防塵方法。
【発明の詳細な説明】
【技術分野】
【０００１】
この発明は、電子機器における防塵構造及び防塵方法、並びに電子機器に係り、例えば、表示パネルを保護するスクリーン部材を音波を放射するための振動板として用いた折畳み型の携帯電話機等の携帯型の電子機器において、スクリーン部材を兼ねる振動板が筐体にガスケット部材を介して取り付けられた電子機器における防塵構造及び防塵方法、並びに防塵構造を備えた電子機器に関する。
【背景技術】
【０００２】
近年、移動中や外出先でも使用可能であるという高い利便性によって、携帯電話機等の携帯型電子機器が広く普及してきている。特に、開閉自在の折畳み型の携帯電話機は、コンパクトに収納できることから、多くのユーザから支持を受けている。
さらに、２軸ヒンジ部を用いて、開閉を行うための回動軸に直交する回動軸の周りにも一方の筐体が他方の筐体に対して回動自在となるように構成した折畳み型の携帯電話機も実用化されている。
【０００３】
このような携帯電話機１０１は、図１５及び図１６に示すように、上部ユニット１０２と下部ユニット１０３とが、２軸ヒンジ部１０４で相互に結合されて構成され、上側ユニット１０２の上部筐体１０５には、受話音声を出力する受話部１０６と、液晶表示装置からなる表示部１０７とが実装され、下部ユニット１０３の下部筐体１０８には、各種操作キー等からなる操作部１０９と、送話音声を入力する送話部１１０と、スピーカを有する音声出力部１１１とが実装されている。
【０００４】
なお、表示部１０７は、図１７に示すように、液晶表示パネル１１２と、液晶表示パネル１１２に照明光を与えるバックライト装置とを有し、これらは、保持フレーム１１３によって保持されて、上部筐体１０５内に実装されている。また、液晶表示パネル１１２を保護するためのスクリーン部材１１４が、上部筐体１０５を構成するフロントケース１１５に両面粘着シート１１６を用いて接着されている。
【０００５】
ところで、携帯電話機１０１として、本来の通話機能のみならず、電子メールの送受信やインターネットに接続してホームページの閲覧が可能なデータ通信機能を有するものが普及している。
このような携帯電話機１０１において、例えば、サイトからダウンロードしたプログラムを実行して、ゲーム等を楽しむような場合に、表示部１０７の画面を見ながら、音声を聞くためには、筐体を開いた状態で、用いることとなる。
【０００６】
しかしながら、図１６に示すように、表示画面を正面に向けて折り畳んでコンパクト化した状態で、表示部１０７の表示画面を見ようとする場合には、音声出力部１１１のスピーカが隠れてしまって、音声が十分に聴き取れないという問題があった。
また、通話時には、筐体を開いた状態で、受話部１０６を耳部に当てて、受話音声を聴くこととなるが、音孔が比較的小さいために、確実に当てることが困難で、音孔位置から外れてしまって、音量が不足し、かつ、音声が不明瞭になってしまっていた。
そこで、最近、パーソナルコンピュータのディスプレイで、例えば、表示パネルを保護するスクリーン部材を音声を放射するための振動板として用いる技術が実用化されており、この技術を携帯電話機に適用することが提案されている（表示画面からの音声出力については、例えば、非特許文献１参照。）。
【０００７】
この携帯電話機のフラットパネルスピーカ２０１は、表示部が実装された一方の筐体に取り付けられ、図１８に示すように、例えばアクリル樹脂製の透明部材からなり、液晶表示パネルを保護しスクリーン部材を兼ねる振動板２０２と、圧電素子を有し振動板２０２を振動させて音波を放射させるアクチュエータモジュール２０３とを有してなっている。
【０００８】
振動板２０２は、図１９に示すように、振動が伝達されるように所定の部位でアクチュエータモジュール２０３に当接状態で取り付けられ、かつ、塵埃等の異物の侵入を防止するための枠状のガスケット部材２０４を介して、液晶表示パネル２０５の表示画面を露出させるための開口２０６ａが中央部に形成され、上記一方の筐体を構成するフロントケース２０６に取り付けられている。
ここで、ガスケット部材２０４は、内壁面２０４ａがフロントケース２０６の開口２０６ａに臨むように配置され、共に枠状の両面粘着シートを介して、それぞれ、振動板２０２、フロントケース２０６の開口２０６ａの縁部に接着されている。
【０００９】
【非特許文献１】「日経ビジネス  ２００４年１１月１日号」日経ＢＰ社、２００４年１１月１日、ｐ．９０
【発明の開示】
【発明が解決しようとする課題】
【００１０】
解決しようとする問題点は、ガスケット部材が経年変化によって変形して、防塵機能が低下し、かつ、内部側（開口の中央部側）に配置された、例えば、液晶表示パネルに干渉して損傷を与えてしまうという点である。
すなわち、図２０に示すように、ガスケット部材２０４は、劣化して、さらに扁平になるように（厚さが減少し幅が増加するように）変形して、防塵機能を果たせなくなる上に、特に、内部側に広がった部位は、例えば、液晶表示パネル２０５に接触して損傷を与えてしまう。
【００１１】
この発明は、上述の事情に鑑みてなされたもので、ガスケット部材の劣化による変形を確実に抑制して、防塵機能を維持すると共に、内部の部品に対する干渉を回避させることができる電子機器における防塵構造及び防塵方法、並びに電子機器を提供することを目的としている。
【課題を解決するための手段】
【００１２】
上記課題を解決するために、請求項１記載の発明に係る電子機器における防塵構造は、開口が形成された電子機器の筐体に、上記開口の縁部に配置されたガスケット部材を介して、上記開口を覆うように蓋状部材が取り付けられ、上記蓋状部材の筐体内部に向いた裏面側に配置され、上記ガスケット部材の側壁面の少なくとも一部に対向する対向面を有し、上記側壁面が変位した場合に、上記側壁面の少なくとも一部に上記対向面が接触して、上記ガスケット部材を押えるガスケット押え手段を備えたことを特徴としている。
ここで、防塵とは、防塵のみの場合のほか、必要に応じて防水もなされ、さらに必要に応じて気密とされることを含む広い概念を意味する。
【００１３】
また、請求項２記載の発明は、請求項１記載の電子機器における防塵構造に係り、上記ガスケット押え手段は、上記ガスケット部材の経年変化による厚さの減少又は／及び幅の増加を伴う変形を抑制することを特徴としている。
【００１４】
また、請求項３記載の発明は、請求項１又は２記載の電子機器における防塵構造に係り、上記ガスケット部材は、上記蓋状部材を支持する略扁平な枠状部材からなり、その内壁面が上記開口に臨むように配置され、上記ガスケット押え手段は、上記ガスケット部材の幅の増加に伴う上記内壁面の上記開口の中央部側への変位を上記内壁面を押えることによって制止する制止部を有してなることを特徴としている。
【００１５】
また、請求項４記載の発明は、請求項３記載の電子機器における防塵構造に係り、上記電子機器は、所定の機能を有する機能ユニットを備え、上記開口の上記蓋状部材が配設された側に対向する側には、上記機能ユニットを保持する保持基体が配設され、上記制止部は、上記保持基体の上記開口側に突設され、上記内壁面に対向する外壁面を有していることを特徴としている。
【００１６】
また、請求項５記載の発明は、請求項３記載の電子機器における防塵構造に係り、上記制止部は、上記開口の上記蓋状部材側の縁部に突設され、上記内壁面に対向する外壁面を有していることを特徴としている。
【００１７】
また、請求項６記載の発明は、請求項１乃至５のいずれか１に記載の電子機器における防塵構造に係り、上記電子機器は、アクチュエータによって振動板を振動させて音波を放射させるフラットパネルスピーカを備え、上記蓋状部材は、上記振動板を兼ね、上記ガスケット部材は、上記蓋状部材に接着された状態で、上記蓋状部材の振動に従って、少なくとも厚さ方向に沿って変形しながら上記蓋状部材を支持することを特徴としている。
【００１８】
また、請求項７記載の発明は、請求項６記載の電子機器における防塵構造に係り、上記アクチュエータは圧電素子を有してなり、上記蓋状部材の所定の部位に接触していることを特徴としている。
【００１９】
また、請求項８記載の発明は、請求項４乃至７のいずれか１に記載の電子機器における防塵構造に係り、上記機能ユニットは、文字情報又は画像情報を表示するための表示ユニットからなり、上記蓋状部材は、透明部材からなり、上記表示ユニットの表示画面を保護するために用いられることを特徴としている。
【００２０】
また、請求項９記載の発明は、請求項４乃至８のいずれか１に記載の電子機器における防塵構造に係り、上記外壁面は、上記内壁面の周回方向に沿って連続的に又は断続的に形成されていることを特徴としている。
【００２１】
また、請求項１０記載の発明は、請求項１乃至９のいずれか１に記載の電子機器における防塵構造に係り、上記ガスケット部材は、上記開口から上記筐体の中に、少なくとも塵埃を含む異物が入るのを防止するために用いられることを特徴としている。
【００２２】
また、請求項１１記載の発明に係る電子機器は、請求項１乃至１０のいずれか１に記載の電子機器における防塵構造を備えたことを特徴としている。
【００２３】
また、請求項１２記載の発明は、開口が形成された筐体に、ガスケット部材を介して、上記開口を覆うように蓋状部材が取り付けられた電子機器における防塵方法に係り、上記蓋状部材の筐体内部に向いた裏面側に、上記ガスケット部材の側壁面の少なくとも一部に対向する対向面を有し、上記ガスケット部材を押えるガスケット押え手段が配置され、上記ガスケット押え手段は、上記側壁面が変位した場合に、上記側壁面の少なくとも一部に上記対向面が接触して、上記ガスケット部材を押えることによって、上記ガスケット部材の寸法及び形状の変化を伴う変形を抑制することを特徴としている。
【発明の効果】
【００２４】
この発明の構成によれば、ガスケット部材の側壁面が変位した場合に、ガスケット押え手段の対向面が、側壁面の少なくとも一部に接触して、ガスケット部材を押えるので、ガスケット部材の劣化による変形を確実に抑制して、防塵機能を維持すると共に、内部の部品に対する干渉を回避させることができる。
【発明を実施するための最良の形態】
【００２５】
ガスケット部材の側壁面が変位した場合に、ガスケット押え手段の対向面が、側壁面の少なくとも一部に接触して、ガスケット部材を押えることによって、ガスケット部材の劣化による変形を確実に抑制して、防塵機能を維持すると共に、内部の部品に対する干渉を回避させるという目的を実現した。
【実施例】
【００２６】
図１は、この発明の一実施例である携帯電話機の上部ユニットを分解して表面側から見た図であって、同上部ユニットの構成を示す分解斜視図、図２は、同携帯電話機の上部ユニットを分解して裏面側から見た図であって、同上部ユニットの構成を示す分解斜視図、図３は、同携帯電話機の構成を示すブロック図、図４は、同上部ユニットの構成を示す平面図、図５は、図４のＡ−Ａ線に沿った断面図、図６は、図４のＢ−Ｂ線に沿った断面図、図７は、同携帯電話機の音声出力部のガスケット部材及び防塵クッションの取付方法を説明するための分解斜視図、図８は、図６のＣ部を拡大して示す拡大断面図、図９は、同音声出力部の構成を示すブロック図、図１０は、同音声出力部の振動板の構成を示す平面図、図１１は、同ガスケット部材の構成を示す平面図、図１２は、同振動板に同ガスケット部材が取り付けられた状態を示す下面図、図１３は、同振動板に同ガスケット部材及びアクチュエータモジュールが取り付けられた状態を示す下面図、また、図１４は、同携帯電話機の変形防止用リブの機能を説明するための説明図である。
【００２７】
この例の携帯電話機１は、折畳可能な筐体を備えると共に、本来の通話機能のほか、例えば電子メールの送受信やインターネットに接続してホームページの閲覧が可能なデータ通信機能を有し、図１乃至図３に示すように、上部ユニット２と下部ユニット３とが、互いに開閉自在で、かつ、開閉を行うための回動軸に直交する回動軸の周りにも一方のユニットが他方のユニットに対して回動自在に２軸ヒンジ部４で相互に結合されて構成されている。
【００２８】
上側ユニット２は、図１乃至図３に示すように、折畳可能な扁平な筐体を構成する上部筐体６に、例えば受話音声を出力する音声出力部７と、音声出力部７を駆動するための圧電駆動部８と、液晶表示装置からなり例えば機能設定画面や、待受画面等が表示される表示部９と、ＬＥＤを有し例えば着信時や通話時に発光する発光部１１とが実装されて概略構成されている。
上部筐体６は、共に例えばマグネシウム合金製のダイカスト成形品からなり、正面側を構成するフロントケース１２と、裏面側を構成するリアカバー１３とを有し、組み合されたフロントケース１２とリアカバー１３とが嵌合によって、又は雌ねじや雄ねじ等の固定具による締付けによって、音声出力部７や表示部９、発光部１１が内部に収納され、又は取り付けられた状態で、組み立てられてなっている。
【００２９】
フロントケース１２は、液晶表示パネル４１の表示画面を露出させるための開口部１４が中央部に形成された矩形状の平板部１５の周縁に側壁部１６が立設された形状に概略成形されている。
平板部１５のうち、側壁部１６の内壁面からは側方（内部側）に突設された開口部１４の縁部１７の上面は、後述するガスケット部材３３を介して振動板３１を載せる載置面１７ｍとされている。
また、リアカバー１３は、矩形状の平板部１８の周縁に側壁部１９が立設された形状に概略成形されてなっている。
【００３０】
下部ユニット３は、折畳可能な扁平な筐体を構成する下部筐体に、図３に示すように、当該携帯電話機本体の構成各部を制御する制御部２２と、制御部２２が実行する処理プログラムや各種データ等を記憶するための記憶部２３と、アンテナ２５を介して無線電波の送受信を行い、所定のプロトコルに従って通話やデータ通信を行うために用いられる無線通信部２６と、数字や文字の入力操作等を行うための多数の各種操作キー等からなる操作部２７と、送話音声を入力するマイクロフォンからなる送話部２８と、着信時に着信音を発生するためのリンガ発生部２９とが実装されて概略構成されている。
【００３１】
音声出力部７は、図１乃至図１３に示すように、例えばアクリル樹脂製の透明部材からなり、液晶表示パネル４１を保護するスクリーン部材を兼ねる振動板３１と、圧電素子を有し振動板３１を振動させて音波を放射させるアクチュエータモジュール３２と、例えばシリコーンゴムからなり上部筐体６内部への塵埃等の異物の侵入を防止するための扁平な枠状のガスケット部材３３と、ガスケット部材３３の内側に配置され例えば発泡ウレタンからなり内部への塵埃の侵入を防止して、液晶表示パネル４１表面への塵埃の付着を防止するための枠状の防塵クッション部材３４とを備えてなっている。ここで、振動板３１とアクチュエータモジュール３２とは、フラットパネルスピーカ３５を構成している。
【００３２】
アクチュエータモジュール３２は、制御部２２によって制御される圧電駆動部８を介して、増幅された駆動信号を受け取って、電気信号としての駆動信号を音響信号に変換して振動板３１を振動させる。
この例では、アクチュエータモジュール３２は、振動板３１の裏面の所定の部位に例えば両面粘着テープを用いて接着されている。なお、アクチュエータモジュール３２の裏面側には、フレキシブルプリント配線板（以下、ＦＰＣ（Flexible Printed Circuit）という）を保護するためのクッション部材４５が配置される。
【００３３】
また、振動板３１の表示画面領域に対応する領域の外部領域は、遮光材料が塗布されている。防振クッション部材３４は、ガスケット部材３３の内側（この例では、ガスケット部材３３の内壁面３３ａによって、その側部が囲まれ、上方が振動板３１によって覆われ、かつ、下方には液晶表示パネル４１が配置された隙間空間内）に、表示画面領域の周縁部を囲むように配置される。
振動板３１は、この例では、その側壁面３１ａの所定の角部３１ｍが、フロントケース１２の側壁部１６の開口１４側に形成された対応する隅部１６ａに当接されるように、位置決めされてガスケット部材３３を介して載置面１７ｍ上に配置されている。
ガスケット部材３３は、図６及び図７に示すように、共に枠状の両面粘着シート３７，３８を介して、それぞれ、振動板３１、フロントケース１２の載置面１７ｍに接着されている。
【００３４】
両面粘着シート３７（３８）は、図８に示すように、ＰＥＴからなる基体３７ａ（３８ａ）の両面にアクリル系接着剤層３７ｍ（３８ｍ）とシリコン系接着剤層３７ｎ（３８ｎ）とが形成されてなっている。
振動板３１は、このように、ガスケット部材３３を介して、フロントケース１２に取り付けられている。
このガスケット部材３３は、振動板３１に接着された状態で、振動板３１の振動に従って、少なくとも厚さ方向に沿って比較的容易に変形しながら振動板３１を支持すると共に、開口１４から上部筐体６の中に特に水分が入るのを防止する
なお、ガスケット部材３３は、振動板３１よりもその外形寸法が若干小さく設定されている。
【００３５】
この例のフラットパネルスピーカ実装構造３６は、図５乃至図７に示すように、振動板３１が、振動が伝達されるように所定の部位でアクチュエータモジュール３２に当接状態で取り付けられ、かつ、例えばシリコンゴムからなる枠状のガスケット部材３３を介して、フロントケース１２に取り付けられ、ガスケット部材３３が保持フレーム４２に形成された平面視で略コ字状の制止リブ４２ａによって幅方向（開口１４の中央部へ向かう方向）への変形が抑えられて、概略構成されている。
ここで、ガスケット部材３３は、共に枠状の両面粘着シート３７，３８を介して、それぞれ、振動板３１、フロントケース１２の載置面１７ｍに接着されている。
【００３６】
これによって、ガスケット部材３３は、振動板３１の振動を妨げずに支持し、かつ、上部筐体６内部への塵埃等の異物の侵入を防止する。
また、経年変化によってガスケット部材３３が扁平化し幅方向に伸びて、ガスケット部材３の幅の増加に伴って内壁面３３ａが開口１４の中央部側へ変位してきた場合には、制止リブ４２ａの外壁面４２ｍが内壁面３３ａを押えることによって制止し、ガスケット部材３３の劣化による変形を確実に抑制して、防塵機能を維持すると共に、液晶表示パネル４１等内部の部品に対する干渉を回避させる。
【００３７】
表示部９は、上側筐体６の内側の面に配設され例えば透過型の液晶表示装置を有してなっている。液晶表示装置は、液晶表示パネル４１と、液晶表示パネル４１に照明光を与えるバックライト装置と、液晶表示パネル４１を駆動する駆動回路と、液晶表示パネル４１やバックライト装置を保持する保持フレーム４２とを有してなっている。
液晶表示パネル４１は、例えばＴＦＴ（Thin Film Transistor）構造の透過型の液晶表示パネルであり、ＴＦＴと透明画素電極とが多数形成されているＴＦＴ基板と、ＴＦＴ基板と数［μm］の間隙を介して対向して固定され、着色層（カラーフィルタ）が形成された対向基板と、上記間隙に封入された液晶層と、ＴＦＴ基板、対向基板の外側に配設された一対の偏向板とを有している。
【００３８】
バックライト装置は、点状光源としての複数のＬＥＤからなる光源ユニットと、光源ユニットから出射した光を受光し面状の照明光を液晶表示パネル４１へ向けて出射する導光板、輝度のばらつきを補正するための拡散シート及び導光板側から入射した照明光を集光するプリズムシートを含む光学部材群とを有してなり、液晶表示パネル４１に裏面側から照明光を照射して、液晶表示パネル４１を透過した光を観察者に視認させる。
保持フレーム４２の表面側（振動板３１側）には、光学部材群が配設され、光学部材群を保持フレーム４２との間に挟んだ状態で、例えば、枠状の両面粘着シートを介して液晶表示パネル４１が固定されている。
【００３９】
この例では、保持フレーム４２の表面側には、図１及び図７に示すように、液晶表示パネル４１を囲むように、経年変化によってガスケット部材３３が扁平化し幅方向に伸びて内壁面３３ａが接近してきた場合に、外壁面４２ｍでガスケット部材３３の内壁面３３ａを抑える平面視で略コ字状の制止リブ４２ａが形成されている。
なお、制止リブ４２ａの高さは、先端が振動板３１の裏面に触れないように設定されている。
また、制止リブ４２ａの内壁面４２ｎには、防塵クッション部材３４の外壁面が当接して、防塵クッション部材３４が、液晶表示パネル４１の表面の周縁部上に配置される。
【００４０】
保持フレーム４２の背面側（リアカバー側）には、絶縁性基板に所定の回路パターンが形成され電子部品が搭載されてなる配線基板４３が取り付けられ、この配線基板４３と、液晶表示パネル４１及び光源ユニットとは、それぞれ、ＦＰＣを介して電気的に接続されている。
液晶表示パネル４１や光源ユニット、配線基板４３等は、保持フレーム４２に取り付けられた状態で、上部筐体６を構成するフロントケース１２とリアカバー１３とによって、固定具を用いて上下方向から押さえられるようにして、上部筐体６内に格納される。
【００４１】
制御部２２は、ＣＰＵ（中央処理装置）等を有してなり、記憶部２３に記憶された各種処理プログラムを実行し、記憶部２３に確保された各種レジスタやフラグを用いて、構成各部を制御し、通信制御処理や、表示・操作制御処理等を実行する。
記憶部２３は、ＲＯＭ、ＲＡＭ等の半導体メモリ等からなり、制御部２２が実行する通信制御処理プログラムや、表示・操作制御処理プログラム、ブラウザ、メーラ等の各種処理プログラム等が記憶されたプログラム記憶領域と、各機能の設定情報や、通信履歴情報、電話帳情報、文字メッセージ情報、音声付き動画ファイル等の各種情報が記憶された情報記憶領域とを有すると共に、この記憶部２３には、制御部２２がプログラム実行時に用いる各種レジスタやフラグが確保されている。
【００４２】
無線通信部２６は、ＲＦ回路や、変復調回路、ベースバンド処理回路等からなり、音声やデータを変調してアンテナ２５を介して無線電波として送信すると共に、無線電波をアンテナ２５を介して受信して音声やデータに復調し、所定のプロトコルに従って通話やデータ通信を行うために用いられる。
【００４３】
操作部２７は、ブラウザを起動させてホームページを閲覧するためのブラウザモード選択キー、操作を決定するために用いられる決定キー、操作メニューを表示させるためのメニューキー、文字入力モードを切り換えるための入力モード切替えキー、電話帳を登録したり検索するための電話帳キー、音声通話を行うために用いる通話開始キー、操作を１つ前の状態へ戻すクリアキー、及び電源の入切りを行った各種操作を中止するために用いられる電源キーを含む機能キー群と、表示部９に表示された表示画面上のカーソルを上下左右方向へ移動させるためのカーソルキーと、例えば数字等を入力するためのテンキー群とを有している。
【００４４】
２軸ヒンジ部４は、図１及び図２示すように、上部筐体６に取り付けられて上部筐体６に固定された基台板５１と、基台板５１によって回動自在に軸支されて、先端部が上部ユニット２の表示部９の表示画面に対して平行に突出する回動軸部５２と、この回動軸部５２の先端部で回動軸部５２に対して直角に配置されて回動自在に軸支された回動軸部５３とを有している。
回動軸部５３の周りの下部筐体に対する上部筐体６の回動によって、上部ユニット２と下部ユニット３とが折り畳まれ、回動軸部５２の周りの上部筐体６に対する下部筐体の回動によって、上部ユニット２の表示面を含む平面と下部ユニット３の操作面を含む平面とが交差しながら上部ユニット２が回動する。
【００４５】
この例の携帯電話機１を組み立てるには、まず、図１、図２及び図１２に示すように、振動板３１の裏面の周縁部に枠状の両面粘着シート３７を介してガスケット部材３３を接着し、ガスケット部材３３の振動板３１に対向する側に両面粘着シート３８を貼り付ける。
次に、図１、図２及び図１３に示すように、アクチュエータモジュール３２を、振動板３１の裏面の所定の部位に、例えば両面粘着テープを用いて接着する。
次に、図１、図２及び図５に示すように、振動板３１を、側壁面３１ａの所定の角部３１ｍが対応するフロントケース１２の側壁部１６の隅部１６ａに当接されるように、位置決めして、両面粘着シート３８を介してガスケット部材３３をフロントケース１２の載置面１７ｍに接着して、振動板３１をフロントケース１２に取り付ける。
【００４６】
また、図１及び図２に示すように、保持フレーム４２の表面側（振動板３１が取り付けられる側）に、光学部材群を保持フレーム４２との間に挟んだ状態で、例えば、枠状の両面粘着シートを介して液晶表示パネル４１を固定する。
次に、図１、図２及び図７に示すように、防塵クッション部材３４を、液晶表示パネル４１の周縁部に配置されるように、保持フレーム４２に取り付ける。
次に、裏面側に配線基板４３を重ねて組み付け、配線基板４３の端部に配置されたコネクタにＦＰＣの端部を接続する。
次に、液晶表示パネル４１や光源ユニット、配線基板４３等が取り付けられた保持フレーム４２に、振動板３１側からフロントケース１２を組み付ける。
【００４７】
次に、図１及び図２に示すように、振動板３１やアクチュエータモジュール３２、ガスケット部材３３等が取り付けられた部品群をフロントケース１２に貼り付け、アクチュエータモジュール３２と配線基板４３とをコネクタ接続する。次に、リアカバー１３を、組み合わせて、嵌合することによって、又は雌ねじや雄ねじ等の固定具によって締め付けて、携帯電話機１を組み立てる。
これによって、振動板３１は、所定の部位でアクチュエータモジュール３２に当接して、振動の伝達が可能となる。
【００４８】
こうして組み立てられた携帯電話機１において、筐体を開いた状態で、例えば着信があると、制御部２２は、リンガ発生部２９を制御して、着信音を発生されると共に、発光部１１を制御してＬＥＤを発光させ、着信通知を行う。
次に、操作部２７の通話開始キーの押下によって、通話が開始され、通話相手からの音声は、音声出力部７から出力される。
すなわち、制御部１２は、圧電駆動部８を制御して、増幅された駆動信号がアクチュエータモジュール３２に供給されるようにする。アクチュエータモジュール３２は、増幅された駆動信号を受け取って、電気信号としての駆動信号を音響信号に変換して振動板３１を振動させる。振動板３１からは、音波が直接放射される。
【００４９】
操作者（ユーザ）は、振動板３１を耳に当てなくても、例えば、携帯電話機１を正面に向けて、受話音声を聞き、送話部２８に向けて発声して、通話を行うことができる。ここで、受信データのなかに、画像（動画又は静止画）が付加されている場合は、操作者は、表示部９の表示画面を見ながら通話を行うことができる。
また、例えば、サイトからダウンロードしたプログラム（音声付き動画ファイル等）を実行する場合に、筐体を開いた状態で、画像が表示部９に表示されると共に、音声は音声出力部７の振動板３１から放射される。
また、メール読上機能を用いる場合にも、振動板３１から音声が放射される。
【００５０】
また、ガスケット部材３３が、振動板３１の振動を妨げずに支持することによって、振動板３１からは確実に音声が放射され、比較的離れていても操作者（ユーザ）は、音声を明瞭に聴くことができる。
また、経年変化によってガスケット部材３３が扁平化し幅方向に伸びて、図１４に示すように、ガスケット部材３の幅の増加に伴って内壁面３３ａが開口１４の中央部側へ変位してきた場合には、制止リブ４２ａの外壁面４２ｍが内壁面３３ａを押えることによって制止し、ガスケット部材３３の劣化による変形を確実に抑制して、防塵機能を維持すると共に、液晶表示パネル４１等内部の部品に対する干渉を回避させる。
【００５１】
このように、この例の構成によれば、保持フレーム４２に制止リブ４２ａを設けたので、ガスケット部材３の幅の増加に伴う内壁面３３ａの開口１４の中央部側への変位を、制止リブ４２ａの外壁面４２ｍが内壁面３３ａを押えることにことによって制止するため、ガスケット部材３３の劣化による変形を確実に抑制して、防塵機能を維持すると共に、液晶表示パネル４１等内部の部品に対する干渉を回避させることができる。
【００５２】
また、操作者は、振動板３１を耳部に当てなくても、例えば、携帯電話機１を正面に向けた状態で、受話音声を聴くことができるので、従来技術のように、音孔位置から外れて音声が不明瞭になることなく、確実にかつ明瞭に受話音声を聴くことができると共に、耳部を携帯電話機１から離して、送話部２８に向けて発生して、通話を行うことができる。  また、画像（動画又は静止画）が付加されている場合は、操作者は、表示部９の表示画面を見ながら音声を聴くことができる。
また、フラットパネルスピーカの採用によって、機器の薄型化及び小型化に寄与することができる。
【００５３】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、振動板が表示部のスクリーン部材を兼ねる場合について述べたが、専用に設けるようにしても良い。この場合、振動板は透明でなくても良い。
また、制止リブを保持フレームに限らず、フロントケースに設けるようにしても良い。
また、制止リブは、平面視略Ｃ字状に限らず、ロ字状でも良いし、所定の閉曲線に沿って間欠的に配置されるように形成しても良い。また、筐体は、金属製でも良いし、樹脂製としても良い。
また、音声出力部７を１箇所に設ける場合について述べたが、２箇所以上に設けるようにしても良い。この場合、設置位置は、上部ユニットでも下部ユニットでも良い。
【００５４】
また、電子カメラユニットを付加して、撮影機能や、テレビ電話機能を持たせるようにしても良い。この場合、音声出力部７から撮影時に擬似シャッタ音を発生させるようにしても良い。
また、着信時に、音量を調整した上で、音声出力部７から着信音を出力させるように構成しても良い。
また、振動板は、両面粘着シートを用いずに、直接接着層を介してガスケット部材に接着するようにしても良いし、熱溶着によって接着するようにしても良い。
【００５５】
また、ガスケット部材は接着以外の方法で、フロントケースに取り付けるようにしても良い。
また、回動軸部５２を上部筐体６の主面に対して平行である場合について述べたが、上側筐体６の主面に対して垂直であっても良い。この場合、上部ユニット２の表示面と下部ユニット３の操作面とが略平行関係を保ちながら上部ユニット２が回動する。
また、２軸ヒンジに限らず、開閉のみ可能な折畳式の携帯電話機にも適用できるし、折畳式以外のストレートタイプの携帯電話機にも適用できる。
【産業上の利用可能性】
【００５６】
携帯型電子機器としては、携帯電話機のほか、簡易型携帯電話（ＰＨＳ）端末や、携帯情報端末（ＰＤＡ）、携帯型のコンピュータに対して適用できる。また、携帯型の電子機器のほか、一般に、筐体に形成された開口からの塵埃を含む異物の侵入を防止するための防塵構造を有するコンピュータ等の電子機器に対して適用できる。
【図面の簡単な説明】
【００５７】
【図１】この発明の一実施例である携帯電話機の上部ユニットを分解して表面側から見た図であって、同上部ユニットの構成を示す分解斜視図である。
【図２】同携帯電話機の上部ユニットを分解して裏面側から見た図であって、同上部ユニットの構成を示す分解斜視図である。
【図３】同携帯電話機の構成を示すブロック図である。
【図４】同上部ユニットの構成を示す平面図である。
【図５】図４のＡ−Ａ線に沿った断面図である。
【図６】図４のＢ−Ｂ線に沿った断面図である。
【図７】同携帯電話機の音声出力部のガスケット部材及び防塵クッションの取付方法を説明するための分解斜視図である。
【図８】図６のＣ部を拡大して示す拡大断面図である。
【図９】同音声出力部の構成を示すブロック図である。
【図１０】同音声出力部の振動板の構成を示す平面図である。
【図１１】同ガスケット部材の構成を示す平面図である。
【図１２】同振動板に同ガスケット部材が取り付けられた状態を示す下面図である。
【図１３】同振動板に同ガスケット部材及びアクチュエータモジュールが取り付けられた状態を示す下面図である。
【図１４】同携帯電話機の変形防止用リブの機能を説明するための説明図である。
【図１５】従来技術を説明するための説明図である。
【図１６】従来技術を説明するための説明図である。
【図１７】従来技術を説明するための説明図である。
【図１８】従来技術を説明するための説明図である。
【図１９】従来技術を説明するための説明図である。
【図２０】従来技術を説明するための説明図である。
【符号の説明】
【００５８】
１      携帯電話機（電子機器）
２      上部ユニット
３      下部ユニット
４      ２軸ヒンジ部
６      上部筐体
７      音声出力部
９      表示部
１２      フロントケース（筐体）
１３      リアカバー
１４    開口
３１      振動板（蓋状部材）
３２      アクチュエータモジュール（アクチュエータ）
３３      ガスケット部材
３３ａ      内壁面
３４      防塵クッション部材
３５      フラットパネルスピーカ
３６      フラットパネルスピーカ実装構造
３７，３８      両面粘着シート
４１      液晶表示パネル（機能ユニットの一部、表示ユニットの一部）
４２      保持フレーム（保持基体）
４２ａ      制止リブ（ガスケット押え手段、制止部）
４２ｍ      外壁面（対向面）
【図１】
2006186691.tif 000003
【図２】
2006186691.tif 000004
【図３】
2006186691.tif 000005
【図４】
2006186691.tif 000006
【図５】
2006186691.tif 000007
【図６】
2006186691.tif 000008
【図７】
2006186691.tif 000009
【図８】
2006186691.tif 000010
【図９】
2006186691.tif 000011
【図１０】
2006186691.tif 000012
【図１１】
2006186691.tif 000013
【図１２】
2006186691.tif 000014
【図１３】
2006186691.tif 000015
【図１４】
2006186691.tif 000016
【図１５】
2006186691.tif 000017
【図１６】
2006186691.tif 000018
【図１７】
2006186691.tif 000019
【図１８】
2006186691.tif 000020
【図１９】
2006186691.tif 000021
【図２０】
2006186691.tif 000022